(57)【要約】【課題】バーコードの読み取りと併せて画像情報を取得する時に撮像位置やピントが合わせづらいという課題があった。【解決手段】エリア画像を取得するためのエリアセンサと結像部とからなる撮像部と、光学的情報に狙いをつける指標光線を照射する指標光線照射部と、前記撮像部で取得したエリア画像を記憶する記憶部と、前記撮像部で取得したエリア画像から前記光学的情報を抽出して復号する復号部とを備え、前記指標光線は、前記光学的情報の中心軸および／または対角軸および／または輪郭に位置合わせするものであり、前記記憶部は復号に成功したエリア画像のうち所定の領域を記憶する。【選択図】図８ 
2005275530.tif 000002
【特許請求の範囲】
【請求項１】
エリア画像を取得するためのエリアセンサと結像部とからなる撮像部と、光学的情報に狙いをつける指標光線を照射する指標光線照射部と、前記撮像部で取得したエリア画像を記憶する記憶部と、前記撮像部で取得したエリア画像から前記光学的情報を抽出して復号する復号部とを備え、前記指標光線は、前記光学的情報の中心軸および／または対角軸および／または輪郭に位置合わせするものであり、前記記憶部は復号に成功したエリア画像のうち所定の領域を記憶する光学的情報読取装置。
【請求項２】
記憶部に記憶させる所定の領域を設定および／または変更する設定部を備えた請求項１記載の光学的情報読取装置。
【請求項３】
記憶部に記憶させるエリア画像を表示する表示部と、前記エリア画像の表示後に前記エリア画像を記憶するか記憶しないでエリア画像の再取得するかを指示する入力部を備えた請求項１または２記載の光学的情報読取装置。
【請求項４】
光学的情報読取装置と記録媒体とからなる情報読取システムであって、前記光学的情報読取装置は、エリア画像を取得するためのエリアセンサと結像部とからなる撮像部と、光学的情報に狙いをつける指標光線を照射する指標光線照射部と、前記撮像部で取得したエリア画像を記憶する記憶部と、前記撮像部で取得したエリア画像から前記光学的情報を抽出して復号する復号部とを備え、前記指標光線は、前記光学的情報の中心軸および／または対角軸および／または輪郭に位置合わせするものであり、前記記憶部は復号に成功したエリア画像のうち所定の領域を記憶し、前記記録媒体には光学的情報と画像情報があらかじめ決められた位置に設けられており、前記光学的情報読取装置により前記記録媒体に設けられた前記光学的情報と前記画像情報とを取得する時に、前記指標光線が前記光学的情報の中心軸および／または対角軸および／または輪郭に位置合わせした位置に光学的情報読取装置を位置させると、前記画像情報が前記記憶部に記憶する所定の領域にある情報読取システム。
【請求項５】
光学的情報はバーコードであり画像情報は印章および／または署名である請求項４記載の情報読取システム。
【請求項６】
光学的情報読取装置と記録媒体とからなる情報読取システムであって、前記光学的情報読取装置は、エリア画像を取得するためのエリアセンサと結像部とからなる撮像部と、指標光線を照射する指標光線照射部とを備え、前記記録媒体には光学的情報および／または画像情報と枠および／または図形および／または記号が設けられており、前記指標光線が前記記録媒体に設けられた所定の枠および／または図形および／または記号に位置合わせされたときに、前記結像部の略合焦点位置に前記記録媒体が位置する情報読取システム。
【請求項７】
エリア画像を取得するためのエリアセンサと結像部とからなる撮像部と、前記撮像部で取得した画像を表示する表示部と、前記撮像部で取得した画像を記憶する記憶部と、前記撮像部で取得した画像から前記光学的情報を抽出して復号する復号部とを備え、前記表示部は、取得した画像に枠および／または図形および／または記号の表示を重ねて表示し、前記記憶部は、取得した画像の中から前記表示部に表示された前記枠および／または図形および／または記号によって指示された領域を記憶する光学的情報読取装置。
【請求項８】
エリア画像を取得するためのエリアセンサと結像部とからなる撮像部と、前記撮像部で取得した画像を表示する表示部と、前記撮像部で取得した画像から前記光学的情報を抽出して復号する復号部とを備え、前記表示部は、取得した画像に枠および／または図形および／または記号の表示を重ねて表示し、前記復号部は、取得した画像の中から前記表示部に表示された前記枠および／または図形および／または記号によって指示された領域から光学的情報を抽出して復号化する光学的情報読取装置。
【請求項９】
エリア画像を取得するためのエリアセンサと結像部とからなる撮像部と、前記撮像部で取得した画像を表示する表示部と、前記撮像部で取得した画像を記憶する記憶部と、前記撮像部で取得した画像から前記光学的情報を抽出して復号する復号部とを備え、前記表示部は、取得した画像に枠および／または図形および／または記号の表示を重ねて表示し、前記復号部は、取得した画像の中から前記表示部に表示された前記枠および／または図形および／または記号によって指示されたの領域から光学的情報を抽出して復号化し、前記記憶部は、取得した画像の中から所定の領域を記憶する光学的情報読取装置。
【請求項１０】
記憶部に記憶させる所定の領域を設定および／または変更する設定部を備えた請求項９記載の光学的情報読取装置。
【請求項１１】
光学的情報読取装置と記録媒体とからなる情報読取システムであって、前記光学的情報読取装置は、エリア画像を取得するためのエリアセンサと結像部とからなる撮像部と、前記撮像部で取得した画像を表示する表示部と、前記撮像部で取得した画像から前記光学的情報を抽出して復号する復号部とを備え、前記表示部は、取得した画像に枠および／または図形および／または記号の表示を重ねて表示し、前記復号部は、取得した画像の中から前記表示部に表示された前記枠および／または図形および／または記号によって指示されたの領域から光学的情報を抽出して復号化し、前記記憶部は、取得した画像の中から所定の領域を記憶し、前記記録媒体には光学的情報と画像情報があらかじめ決められた位置に設けられており、前記光学的情報読取装置により前記記録媒体に設けられた前記光学的情報と前記画像情報とを取得する時に、前記表示部に表示する枠および／または図形および／または記号の表示と、前記記録媒体に設けられた光学的情報が位置合わせされた時に、前記画像情報が前記記憶部に記憶する所定の領域にある情報読取システム。
【請求項１２】
光学的情報読取装置と記録媒体とからなる情報読取システムであって、前記光学的情報読取装置は、エリア画像を取得するためのエリアセンサと結像部とからなる撮像部と、前記撮像部で取得した画像を表示する表示部と、前記撮像部で取得した画像から前記光学的情報を抽出して復号する復号部とを備え、前記表示部は、取得した画像に枠および／または図形および／または記号の表示を重ねて表示し、前記記録媒体には光学的情報と前記光学的情報の周囲に枠および／または図形および／または記号が設けられており、前記表示部に表示する枠および／または図形および／または記号の表示と、前記記録媒体に設けられた枠および／または図形および／または記号が位置合わせされた時に、前記結像部の略合焦点位置に前記記録媒体が位置する情報読取システム。
【請求項１３】
光学的情報読取装置と記録媒体とからなる情報読取システムであって、前記光学的情報読取装置は、エリア画像を取得するためのエリアセンサと結像部とからなる撮像部と、前記撮像部で取得した画像を表示する表示部と、前記撮像部で取得した画像から前記光学的情報を抽出して復号する復号部とを備え、前記表示部は、取得した画像に枠および／または図形および／または記号の表示を重ねて表示し、前記記録媒体には、光学的情報が設けられ、前記光学的情報の輪郭は略所定の大きさであり、前記表示部に表示する枠および／または図形および／または記号の表示と、前記記録媒体に設けられた光学的情報の輪郭とが位置合わせされた時に、前記結像部の略合焦点位置に前記記録媒体が位置する情報読取システム。
【請求項１４】
エリア画像を取得するためのエリアセンサと結像部とからなる撮像部と、前記撮像部で取得した画像を表示する表示部と、前記撮像部で取得した画像から前記光学的情報を抽出して復号する復号部とを備え、前記結像部は倍率の切替えが可能であり、前記表示部は、取得した画像に枠および／または図形および／または記号の表示を重ねて表示し、前記枠および／または図形および／または記号は前記結像部が倍率の切替え後に取得するエリア画像の領域を指示する光学的情報読取装置。
【請求項１５】
光学的情報読取装置と記録媒体とからなる情報読取システムであって、前記光学的情報読取装置は、エリア画像を取得するためのエリアセンサと結像部とからなる撮像部と、前記撮像部で取得した画像を表示する表示部と、前記撮像部で取得した画像から前記光学的情報を抽出して復号する復号部とを備え、前記結像部は倍率の切替えが可能であり、前記表示部は、取得した画像に枠および／または図形および／または記号の表示を重ねて表示し、前記枠および／または図形および／または記号は前記結像部が倍率の切替え後に取得するエリア画像の領域を指示し前記記録媒体には、光学的情報と前記光学的情報の周囲に枠および／または図形および／または記号が設けられ、前記表示部に表示する枠および／または図形および／または記号の表示と、前記記録媒体に設けられた枠および／または図形および／または記号とが位置合わせされた時に、前記結像部の倍率切替え後の略合焦点位置に前記記録媒体が位置する情報読取システム。
【請求項１６】
光学的情報読取装置と記録媒体とからなる情報読取システムであって、前記光学的情報読取装置は、エリア画像を取得するためのエリアセンサと結像部とからなる撮像部と、前記撮像部で取得した画像を表示する表示部と、前記撮像部で取得した画像から前記光学的情報を抽出して復号する復号部とを備え、前記結像部は倍率の切替えが可能であり、前記表示部は、取得した画像に枠および／または図形および／または記号の表示を重ねて表示し、前記記録媒体には、光学的情報が設けられ、前記光学的情報の輪郭は略所定の大きさであり、前記表示部に表示する枠および／または図形および／または記号の表示と、前記記録媒体に設けられた光学的情報の輪郭とが位置合わせされた時に、前記結像部の倍率切替え後の略合焦点位置に前記記録媒体が位置する情報読取システム。
【請求項１７】
光学的情報に照射するレーザ光の光源であるレーザ光源と、前記レーザ光源から発したレーザ光の照射方向を変更して前記光学的情報を走査させる走査用光学素子と、前記光学的情報で反射された反射光を受光して電気信号に変換するセンサ部と、前記センサ部で変換されだ電気信号を復号する復号部と、エリア画像を取得するためのエリアセンサと結像部とからなる撮像部と、前記撮像部で取得した画像を記憶する記憶部とを備え、前記レーザ光は前記撮像部の撮像位置を指示する光学的情報読取装置。
【請求項１８】
光学的情報の読み取り完了と略同時に撮像部によりエリア画像を取得して記憶部に記憶する請求項１７記載の光学的情報読取装置。
【請求項１９】
光学的情報の読み取りの開始とエリア画像の取得と記憶の開始を個別に指示する入力部を備えた請求項１７記載の光学的情報読取装置。
【請求項２０】
取得したエリア画像のうち所定の領域を記憶部に記憶する請求項１７から１９のいずれか１項に記載の光学的情報読取装置。
【請求項２１】
記憶部に記憶させる所定の領域を設定および／または変更する設定部を備えた請求項２０記載の光学的情報読取装置。
【請求項２２】
取得したエリア画像に、記憶する所定の領域を表す表示を重ねて表示する表示部を備えた請求項２０記載の光学的情報読取装置。
【請求項２３】
取得された画像の所定の領域の画像を表示する表示部と、前記画像の表示後に前記画像を記憶するか記憶しないで画像の再取得するかを指示する入力部を備えた請求項２０記載の光学的情報読取装置。
【請求項２４】
レーザ光の走査平面と、撮像部のエリアセンサの受光素子の配列方向とは略平行で、前記撮像部の受光軸はレーザ光の走査の中心線を通り、前記レーザ光の走査平面に略鉛直な面上にあり、前記撮像部の受光軸と前記レーザ光の走査の中心線とは略平行で近傍にある請求項１７から２３のいずれか１項に記載の光学的情報読取装置。
【請求項２５】
レーザ光の走査平面と、撮像部のエリアセンサの受光素子の配列方向とは略平行で、前記撮像部の受光軸はレーザ光の走査の中心線を通り前記レーザ光の走査平面に略鉛直な面上にあり、前記レーザ光の走査平面は前記撮像部の視野境界面の１つと略平行で近傍にある請求項１７から２３のいずれか１項に記載の光学的情報読取装置。
【請求項２６】
撮像部による画像を取得する場合には、レーザ光を間欠に照射する請求項１５から２５のいずれか１項に記載の光学的情報読取装置。
【請求項２７】
撮像部による画像を取得する場合には、レーザ光の走査角度と撮像部の結像部の視野角度とを略同一にする請求項１７から２６のいずれか１項に記載の光学的情報読取装置。
【請求項２８】
レーザ光のビームウエスト位置と撮像部の結像部の合焦点位置が略同一である請求項１７から２７のいずれか１項に記載の光学的情報読取装置。
【請求項２９】
レーザ光の走査角度を変更でき、これにあわせて記憶部に記憶するエリア画像の領域を変更する請求項１７から２８のいずれか１項に記載の光学的情報読取装置。
【請求項３０】
撮像部の結像部の倍率は可変であり、レーザ光の走査角度は前記結像部の視野角と略と同一にする請求項１７から２９のいずれか１項に記載の光学的情報読取装置。
【請求項３１】
レーザ光源から発せられ走査用光学素子で走査されたレーザ光の照射方向を変更する反射用光学素子を備え、撮像部の受光軸が前記光学素子の走査されるレーザ光の反射位置に近い側の端面の近くを通過するように、前記撮像部は前記反射用光学素子の反射面と反対側の面に近接して配置された請求項１７から３０のいずれか１項に記載の光学的情報読取装置。
【請求項３２】
撮像部により２次元コードを画像情報として取得し、この２次元コードを復号する請求項１７から３１のいずれか１項に記載の光学的情報読取装置。
【請求項３３】
光学的情報はバーコードであり、レーザ光により前記バーコードを読み取る請求項１７から３２のいずれか１項に記載の光学的情報読取装置。
【請求項３４】
光学的情報の読み取りは行わず、撮像部による画像の取得のみを行う場合には、レーザ光を画像取得位置のガイド光として用いる請求項１７から３３のいずれか１項に記載の光学的情報読取装置。
【請求項３５】
レーザ光を回折して図形を形成するように照射する回折格子を備え、光学的情報の読み取りは行わず、撮像部による画像の取得のみを行う場合には、前記レーザ光を前記回折格子を介して回折させ、前記回折したレーザ光により撮像部による画像取得範囲を指示する図形を形成するように照射させる請求項１７から３４のいずれか１項に記載の光学的情報読取装置。
【請求項３６】
光学的情報読取装置と記録媒体とからなる情報読取システムであって、前記光学的情報読取装置は、光学的情報に照射するレーザ光の光源であるレーザ光源と、前記レーザ光源から発したレーザ光の照射方向を変更して前記光学的情報を走査させる走査用光学素子と、前記光学的情報で反射された反射光を受光して電気信号に変換するセンサ部と、前記センサ部で変換されだ電気信号を復号する復号部と、エリア画像を取得するためのエリアセンサと結像部とからなる撮像部と、前記撮像部で取得した画像を記憶する記憶部とを備え、前記記録媒体には光学的情報と画像情報が設けられており、前記光学的情報読取装置により前記記録媒体に設けられた前記光学的情報と前記画像情報とを取得する情報読取システム。
【請求項３７】
記録媒体において光学的情報と画像情報とはあらかじめ決められた位置に設けられており、レーザ光が前記光学的情報を走査する位置に光学的情報読取装置を位置させた場合に、撮像部は前記画像情報を取得可能である請求項３６記載の情報読取システム。
【請求項３８】
光学的情報はバーコードであり画像情報は印章および／または署名である請求項３６または３７記載の情報読取システム。
【請求項３９】
光学的情報に照射するレーザ光の光源であるレーザ光源と、前記レーザ光源から発したレーザ光の照射方向を変更して前記光学的情報を走査させる走査用光学素子と、前記光学的情報で反射された反射光を受光して電気信号に変換するセンサ部と、前記センサ部で変換されだ電気信号を復号する復号部と、エリア画像を取得するためのエリアセンサと結像部とからなる撮像部と、前記撮像部で取得した画像を記憶する記憶部とを備えた光学的情報読取装置による光学的情報と画像情報とがあらかじめ決められた位置に設けられた記録媒体の読取方法であって、  前記レーザ光が前記光学的情報を走査可能な位置に光学的情報読取装置を位置させることで前記光学的情報と前記画像情報とを取得する記録媒体の読取方法。
【請求項４０】
光学的情報はバーコードであり画像情報は印章および／または署名である請求項３９記載の記録媒体の読取方法。
【発明の詳細な説明】
【技術分野】
【０００１】
本発明はバーコード等の光学的情報を読み取る光学的情報読取装置とそれを用いた情報読取システムおよび記録媒体の読取方法に関するものである。
【背景技術】
【０００２】
近年、物流、運送の分野で、荷物の種分けや荷物の追跡等の情報管理に荷札や送り状に印刷されたバーコードが活用されているが、例えば、配達時に荷札や送り状のバーコードの読み取りとともに、受け取りの印章や署名の画像がデータ保存できると、配達の確認などに応用が考えられる。
【０００３】
また、荷物の集配業務以外にも、バーコードの読み取りにあわせて画像情報を取得することは、例えばバーコードの貼った物品のバーコードを読み込んだ時点の色や形状などの特徴を画像情報として記録できることで様々な応用が考えられる。
【０００４】
バーコード等の光学的情報を読み取る光学的情報読取装置は、画像情報をＣＭＯＳやＣＣＤ等のエリア状またはライン状のセンサで取得するものや、レーザ光で走査するもの等がある。
【０００５】
エリアセンサを用いる光学的情報読取装置は、バーコード等の光学的情報からの反射光を結像レンズにより面上に受光素子を配列したエリアセンサ上に結像させ電気信号に変換して撮像した画像情報から光学的情報を抽出、復号して読み取るものであり、取得した画像情報の記憶もできる。
【０００６】
撮像取得した画像を全部記憶するのではなく、画象の中から必要とする画像情報だけを切り出して記憶できると、記憶するデータ容量が少なく、効率よく画像を保存管理できる。必要とする画像情報を切り出して記憶する方法としては、画像内に存在する切り出しシンボルを使う例がある（例えば特許文献１参照）。
【０００７】
一方、レーザ光で走査する光学的情報読取装置は、半導体レーザダイオード等のレーザ光源からのレーザ光を集光してビームを形成し、回転または揺動する走査ミラーに反射させてビーム形成されたレーザ光を扇状に反復させて振り、この一直線状に走査させたレーザ光をバーコード等の光学的情報にあてて、その反射光を集光してフォトトランジスタ等の受光素子で光の強度の時間的変化を電気信号に変換して、この電気信号を２値化、複合化して光学的情報を読み取るものである。
【０００８】
レーザ光は指向性が強く光量が減衰しにくいため、レーザ光で走査する光学的情報読取装置は、エリアセンサを用いた光学的情報読取装置に比べ、近距離から比較的に遠距離まで光学的情報を読み取ることができる。
【０００９】
しかし、一直線状にレーザ光を走査する光学的情報読取装置は、バーコードのように一直線上（１次元）に並んだ光学的情報を取得することはできるが、印章や署名等のエリア（２次元）の画像情報を取得することはできない。バーコードの読み取りとともに印章や署名等の画像情報を取得する時、または、バーコードの読み取りとともに２次元コードを読み取るときには、エリア（２次元）の画像情報を取得することが出来るように、結像レンズと面状に受光素子を配置したエリアセンサからなる撮像部を併せ持つ必要がある。
【００１０】
一直線状にレーザ光を走査する光学的情報読取装置と同様に、一直線上に受光素子を配置したラインイセンサを用いた光学的情報読取装置においても、一直線上に（１次元に）並んだ光学的情報を取得することはできるが、エリア（２次元）の画像情報を取得することはできないため、画像情報を取得するためには撮像部を併せ持つ必要がある（例えば特許文献２参照）。
【特許文献１】特開平１０−３０７８８６号公報（第３項）
【特許文献２】特開平９−２５９２１５号公報
【発明の開示】
【発明が解決しようとする課題】
【００１１】
バーコードや２次元コード等の光学的情報を読み取ることと併せて画像情報を撮像して取得するとき、取得したい画像情報が撮像位置にあり、ピントのあった状態で撮像され、必要とする画像情報を効率よく記憶できることが望ましい。必要とする画像情報を切り出して記憶する方法として、画像内に存在する切り出しシンボルを使う例では、切り出しシンボルに光学的情報が近接して存在する場合等では、切り出しシンボルの抽出が難しく、画像情報を切り出しができなかったり、処理時間が長くかかったりして、光学的情報の読み取り操作性が悪くなる。
【００１２】
本発明は、バーコード等の光学的情報を読み取ることと併せて画像情報を撮像して取得するとき、取得したい画像情報が撮像位置にあり、ピントのあった状態で撮像され、必要とする画像情報を効率よく記憶することを容易にできる光学的情報読取装置とそれを用いた情報読取システムおよび記録媒体の読取方法を提供することを目的とする。
【００１３】
さらに、画像情報を取得するための撮像部を併せ持ち、レーザ光で走査して光学的情報を読み取る光学的情報読取装置については、撮像部が撮像する位置を指示するターゲット光を生成する装置を備えるとことで画像の取得の操作し易くできるが、ターゲット光を生成する装置は、発光ダイオードとその光を集光してビームにする集光レンズ、あるいは、レーザダイオードとそのレーザ光を回折して図形を形成するように照射する回折素子などで構成され、それらが付加される撮像部は大型になるという課題を有していた。本発明は、撮像部を併せ持ちレーザ光で走査して光学的情報を読み取る光学的情報読取装置については、撮像する位置がわかりやすく、かつ、コンパクトな光学系となる光学的情報読取装置を提供することを目的とする。
【課題を解決するための手段】
【００１４】
上記課題を解決するために、本発明の光学的情報読取装置は、エリア画像を取得するためのエリアセンサと結像部とからなる撮像部と、光学的情報に狙いをつける指標光線を照射する指標光線照射部と、撮像部で取得したエリア画像を記憶する記憶部と、撮像部で取得したエリア画像から光学的情報を抽出して復号する復号部とを備え、指標光線は、光学的情報の中心軸および／または対角軸および／または輪郭に位置合わせするものであり、記憶部は復号に成功したエリア画像のうち所定の領域を記憶する。
【００１５】
この構成により、指標光照射部からの指標光で光学的情報の中心軸および／または対角軸および／または輪郭に位置合わせし、撮像部によりエリア画像を取得し、取得したエリア画像から復号部により光学的情報を抽出して復号し、復号に成功した時、そのエリア画像のうち所定の領域が記憶部に記憶されることとなる。さらに、本発明の光学的情報読取装置は、記憶部に記憶させる所定の領域を設定および／または変更する設定部を備える。
【００１６】
さらに、本発明の光学的情報読取装置は、記憶部に記憶させるエリア画像を表示する表示部と、画像の表示後にエリア画像を記憶するか記憶しないでエリア画像の再取得するかを指示する入力部を備える。
【００１７】
さらに、本発明の情報読取システムは、光学的情報読取装置と記録媒体とからなる情報読取システムであって、光学的情報読取装置は、エリア画像を取得するためのエリアセンサと結像部とからなる撮像部と、光学的情報に狙いをつける指標光線を照射する指標光線照射部と、撮像部で取得した画像を記憶する記憶部と、撮像部で取得したエリア画像から光学的情報を抽出して復号する復号部とを備え、指標光線は、光学的情報の中心軸および／または対角軸および／または輪郭に位置合わせするものであり、記憶部は復号に成功したエリア画像のうち所定の領域を記憶し、記録媒体には光学的情報と画像情報があらかじめ決められた位置に設けられており、光学的情報読取装置により記録媒体に設けられた光学的情報と画像情報とを取得する時に、前記指標光線が前記光学的情報の中心軸および／または対角軸および／または輪郭に位置合わせした位置に光学的情報読取装置を位置させると、画像情報が記憶部に記憶する所定の領域にある。
【００１８】
さらに、本発明の情報読取システムは、光学的情報はバーコードであり画像情報は印章および／または署名である。
【００１９】
さらに、本発明の情報読取システムは、光学的情報読取装置と記録媒体とからなる情報読取システムであって、光学的情報読取装置は、エリア画像を取得するためのエリアセンサと結像部とからなる撮像部と、指標光線を照射する指標光線照射部とを備え、記録媒体には光学的情報および／または画像情報と枠および／または図形および／または記号が設けられており、指標光線が記録媒体に設けられた所定の枠および／または図形および／または記号に位置合わせされたときに、前記結像部の略合焦点位置に前記記録媒体が位置する。
【００２０】
さらに、本発明の光学的情報読取装置は、エリア画像を取得するためのエリアセンサと結像部とからなる撮像部と、撮像部で取得した画像を表示する表示部と、撮像部で取得した画像を記憶する記憶部と、撮像部で取得した画像から光学的情報を抽出して復号する復号部とを備え、表示部は、取得した画像に枠および／または図形および／または記号の表示を重ねて表示し、記憶部は、取得した画像の中から表示部に表示された枠および／または図形および／または記号によって指示された領域を記憶する。
【００２１】
さらに、本発明の光学的情報読取装置は、エリア画像を取得するためのエリアセンサと結像部とからなる撮像部と、撮像部で取得した画像を表示する表示部と、撮像部で取得した画像から光学的情報を抽出して復号する復号部とを備え、表示部は、取得した画像に枠および／または図形および／または記号の表示を重ねて表示し、復号部は、取得した画像の中から表示部に表示された枠および／または図形および／または記号によって指示された領域から光学的情報を抽出して復号化する。
【００２２】
さらに、本発明の光学的情報読取装置は、エリア画像を取得するためのエリアセンサと結像部とからなる撮像部と、撮像部で取得した画像を表示する表示部と、撮像部で取得した画像を記憶する記憶部と、撮像部で取得した画像から光学的情報を抽出して復号する復号部とを備え、表示部は、取得した画像に枠および／または図形および／または記号の表示を重ねて表示し、復号部は、取得した画像の中から表示部に表示された枠および／または図形および／または記号によって指示されたの領域から光学的情報を抽出して復号化し、記憶部は、取得した画像の中から所定の領域を記憶する。
【００２３】
さらに、本発明の光学的情報読取装置は、記憶部に記憶させる所定の領域を設定および／または変更する設定部を備える。
【００２４】
さらに、本発明の情報読取システムは、前記光学的情報読取装置は、エリア画像を取得するためのエリアセンサと結像部とからなる撮像部と、前記撮像部で取得した画像を表示する表示部と、前記撮像部で取得した画像から前記光学的情報を抽出して復号する復号部とを備え、前記表示部は、取得した画像に枠および／または図形および／または記号の表示を重ねて表示し、前記復号部は、取得した画像の中から前記表示部に表示された前記枠および／または図形および／または記号によって指示されたの領域から光学的情報を抽出して復号化し、前記記憶部は、取得した画像の中から所定の領域を記憶し、前記記録媒体には光学的情報と画像情報があらかじめ決められた位置に設けられており、前記光学的情報読取装置により前記記録媒体に設けられた前記光学的情報と前記画像情報とを取得する時に、前記表示部に表示する枠および／または図形および／または記号の表示と、前記記録媒体に設けられた光学的情報が位置合わせされた時に、前記画像情報が前記記憶部に記憶する所定の領域にある。
【００２５】
さらに、本発明の情報読取システムは、光学的情報読取装置は、エリア画像を取得するためのエリアセンサと結像部とからなる撮像部と、撮像部で取得した画像を表示する表示部と、撮像部で取得した画像から光学的情報を抽出して復号する復号部とを備え、表示部は、取得した画像に枠および／または図形および／または記号の表示を重ねて表示し、記録媒体には、光学的情報が設けられ、光学的情報の輪郭は略所定の大きさであり、表示部に表示する枠および／または図形および／または記号の表示と、記録媒体に設けられた光学的情報の輪郭とが位置合わせされた時に、結像部の略合焦点位置に記録媒体が位置する。
【００２６】
さらに、本発明の光学的情報読取装置は、エリア画像を取得するためのエリアセンサと結像部とからなる撮像部と、撮像部で取得した画像を表示する表示部と、撮像部で取得した画像から光学的情報を抽出して復号する復号部とを備え、結像部は倍率の切替えが可能であり、表示部は、取得した画像に枠および／または図形および／または記号の表示を重ねて表示し、枠および／または図形および／または記号は前記結像部が倍率の切替え後に取得するエリア画像の領域を指示する。
【００２７】
さらに、本発明の情報読取システムは、光学的情報読取装置は、エリア画像を取得するためのエリアセンサと結像部とからなる撮像部と、撮像部で取得した画像を表示する表示部と、撮像部で取得した画像から前記光学的情報を抽出して復号する復号部とを備え、結像部は倍率の切替えが可能であり、表示部は、取得した画像に枠および／または図形および／または記号の表示を重ねて表示し、枠および／または図形および／または記号は結像部が倍率の切替え後に取得するエリア画像の領域を指示し、記録媒体には、光学的情報と光学的情報の周囲に枠および／または図形および／または記号が設けられ、表示部に表示する枠および／または図形および／または記号の表示と、記録媒体に設けられた枠および／または図形および／または記号とが位置合わせされた時に、結像部の倍率切替え後の略合焦点位置に前記記録媒体が位置する。
【００２８】
さらに、本発明の情報読取システムは、光学的情報読取装置は、エリア画像を取得するためのエリアセンサと結像部とからなる撮像部と、撮像部で取得した画像を表示する表示部と、撮像部で取得した画像から光学的情報を抽出して復号する復号部とを備え、結像部は倍率の切替えが可能であり、表示部は、取得した画像に枠および／または図形および／または記号の表示を重ねて表示し、記録媒体には、光学的情報が設けられ、光学的情報の輪郭は略所定の大きさであり、表示部に表示する枠および／または図形および／または記号の表示と、記録媒体に設けられた光学的情報の輪郭とが位置合わせされた時に、結像部の倍率切替え後の略合焦点位置に記録媒体が位置する。
【００２９】
さらに、本発明の光学的情報読取装置は、光学的情報に照射するレーザ光の光源であるレーザ光源と、前記レーザ光源から発したレーザ光の照射方向を変更して前記光学的情報を走査させる走査用光学素子と、前記光学的情報で反射された反射光を受光して電気信号に変換するセンサ部と、前記センサ部で変換されだ電気信号を復号する復号部と、エリア画像を取得するためのエリアセンサと結像部とからなる撮像部と、前記撮像部で取得した画像を記憶する記憶部とを備え、前記レーザ光は前記撮像部の撮像位置を指示する。この構成により、走査されたレーザ光を光学的情報にあててその反射光を受光して電気信号に変換して復号して光学的情報を読み取り、撮像部によりエリア画像を取得するときには走査されたレーザ光が撮像部の撮像位置を指示することとなる。
【００３０】
さらに、本発明の光学的情報読取装置は、光学的情報の読み取り完了と略同時にエリア画像の取得と記憶を行うこととなる。
【００３１】
または、光学的情報の読み取りの開始とエリア画像の取得と記憶の開始を個別に指示する入力部を備える。この構成によりた光学的情報の読み取りとエリア画像の取得と記憶を個別に行うこととなる。
【００３２】
さらに、本発明の光学的情報読取装置は、取得したエリア画像のうち所定の領域を記憶部に記憶することとなる。
【００３３】
さらに、本発明の光学的情報読取装置は、記憶部に記憶させる所定の領域を設定および／または変更する設定部を備える。この構成により、記憶部に記憶させる所定の領域を設定および／または変更することができる。
【００３４】
さらに、本発明の光学的情報読取装置は、取得したエリア画像に、記憶する所定の領域を表す表示を重ねて表示する表示部を備える。この構成により、表示部に撮像部により取得したエリア画像に保存する所定の領域を表す表示を重ねて表示することとなる。
【００３５】
さらに、本発明の光学的情報読取装置は、記憶部に取得した画像の所定の領域の画像を表示する表示部と、前記画像の表示後に前記画像を記憶するか記憶しないで画像の再取得するかを指示する入力部を備える。この構成により、記憶部に記憶する所定の領域の画像を表示して画像確認後に、入力部によって画像を記憶するか記憶しないで画像の再取得するかを指示することとなる。
【００３６】
さらに、本発明の光学的情報読取装置は、レーザ光の走査平面と、撮像部のエリアセンサの受光素子の配列方向とは略平行で、撮像部の受光軸はレーザ光の走査の中心線を通りレーザ光の走査平面に略鉛直な面上にあり、撮像部の受光軸とレーザ光の走査の中心線とは略平行で近傍にある。この構成により、レーザ光の走査方向は撮像部の視野の縦または横方向と一致し、レーザ光の走査線の中心は撮像部の視野の縦または横方向の中心軸上にあり視野の中心の近傍にあることとなる。
【００３７】
さらに、本発明の光学的情報読取装置は、レーザ光の走査平面と、撮像部のエリアセンサの受光素子の配列方向とは略平行で、撮像部の受光軸はレーザ光の走査の中心線を通りレーザ光の走査平面に略鉛直な面上にあり、レーザ光の走査平面は撮像部の視野の境界面１つと略平行で近傍にある。この構成により、レーザ光の走査方向は撮像部の視野の縦または横方向と一致し、レーザ光の走査線の中心は撮像部の視野の縦または横方向の中心軸上にあり、レーザ光の走査線は視野の境界の一つと平行で近傍にあることとなる。
【００３８】
さらに、本発明の光学的情報読取装置は、撮像部による画像を取得する場合には、レーザ光を間欠に照射することとなる。
【００３９】
さらに、本発明の光学的情報読取装置は、撮像部による画像を取得する場合には、レーザ光の走査角度と撮像部の結像部の視野角度とを略同一にすることとなる。
【００４０】
さらに、本発明の光学的情報読取装置は、レーザ光のビームウエスト位置と撮像部の結像部の合焦点位置が略同一であることとなる。
【００４１】
さらに、本発明の光学的情報読取装置は、レーザ光の走査角度を変更でき、これにあわせて記憶部に記憶するエリア画像の領域を変更することとなる。
【００４２】
さらに、本発明の光学的情報読取装置は、撮像部の結像部の倍率は可変であり、レーザ光の走査角度は前記結像部の視野角と略と同一にすることとなる。
【００４３】
さらに、本発明の光学的情報読取装置は、レーザ光源から発せられ走査用光学素子で走査されたレーザ光の照射方向を変更する反射用光学素子を備え、撮像部の受光軸が前記光学素子の走査されるレーザ光の反射位置に近い側の端面の近くを通過するように、前記撮像部は前記反射用光学素子の反射面と反対側の面に近接して配置される。この構成により、撮像部の受光軸とレーザ光の走査面を接近させることとなる。
【００４４】
さらに、本発明の光学的情報読取装置は、撮像部により２次元コードを画像情報として取得し、この２次元コードを復号することとなる。
【００４５】
さらに、本発明の光学的情報読取装置は、バーコードをレーザ光で読み取る。
【００４６】
さらに、本発明の光学的情報読取装置は、光学的情報の読み取りは行わず、撮像部による画像の取得のみを行う場合には、レーザ光を画像取得位置のガイド光として用いることとなる。
【００４７】
さらに、本発明の光学的情報読取装置は、レーザ光を回折して図形を形成するように照射する回折格子を備え、光学的情報の読み取りは行わず、撮像部による画像の取得のみを行う場合には、前記レーザ光を前記回折格子を介して回折させ、前記回折したレーザ光により撮像部による画像取得範囲を指示する図形を形成するように照射させる。この構成により、光学的情報の読み取りは行わず、撮像部による画像の取得のみを行う場合に、レーザ光を前記回折格子を介して回折させて撮像部による画像取得範囲を指示する図形を形成するように照射させることとなる。
【００４８】
さらに、本発明の情報読取システムは、光学的情報読取装置と記録媒体とからなる情報読取システムであって、前記光学的情報読取装置は、光学的情報に照射するレーザ光の光源であるレーザ光源と、前記レーザ光源から発したレーザ光の照射方向を変更して前記光学的情報を走査させる走査用光学素子と、前記光学的情報で反射された反射光を受光して電気信号に変換するセンサ部と、前記センサ部で変換されだ電気信号を復号する復号部と、エリア画像を取得するためのエリアセンサと結像部とからなる撮像部と、前記撮像部で取得した画像を記憶する記憶部とを備え、前記記録媒体には光学的情報と画像情報が設けられており、    前記光学的情報読取装置により前記記録媒体に設けられた前記光学的情報と前記画像情報とを取得することとなる。
【００４９】
さらに、本発明の情報読取システムは、記録媒体において光学的情報と画像情報とはあらかじめ決められた位置に設けられており、レーザ光が前記光学的情報を走査する位置に光学的情報読取装置を位置させた場合に、撮像部は前記画像情報を取得可能である。
【００５０】
さらに、本発明の情報読取システムは、光学的情報はバーコードであり画像情報は印章および／または署名である。
【００５１】
さらに、本発明の記録媒体の読取方法は、光学的情報に照射するレーザ光の光源であるレーザ光源と、前記レーザ光源から発したレーザ光の照射方向を変更して前記光学的情報を走査させる走査用光学素子と、前記光学的情報で反射された反射光を受光して電気信号に変換するセンサ部と、前記センサ部で変換されだ電気信号を復号する復号部と、エリア画像を取得するためのエリアセンサと結像部とからなる撮像部と、前記撮像部で取得した画像を記憶する記憶部とを備えた光学的情報読取装置による光学的情報と画像情報とがあらかじめ決められた位置に設けられた記録媒体の読取方法であって、前記レーザ光が前記光学的情報を走査可能な位置に光学的情報読取装置を位置させることで前記光学的情報と前記画像情報とを取得する。
【００５２】
さらに、本発明の記録媒体の読取方法は、光学的情報はバーコードであり画像情報は印章および／または署名である。
【発明の効果】
【００５３】
以上のように、本発明は、バーコード等の光学的情報を読み取ることと併せて画像情報を撮像して取得するとき、取得したい画像情報が撮像位置にあり、ピントのあった状態で撮像され、必要とする画像情報を効率よく保存することができる。
【発明を実施するための最良の形態】
【００５４】
以下、本発明を実施するための最良の形態について、図１から図１６を用いて説明する。
【００５５】
（実施の形態１）
図１ａ、図１ｂは、光学的情報読取装置１の斜視図である。図２は、光学的情報読取装置１の内部の光学系２を説明するために図１の破断位置ア−アで部分的に断面を表した断側面図である。光学的情報読取装置１は、前方部にバーコード等の光学的情報の読み取りと画像情報の取得をする光学系２を配置し、後方部を操作者が把持して操作する。
【００５６】
上面には、前方に、光学的情報の読み取りの正否を表示する表示ランプ３と光学系２の状態を表示する表示ランプ４と読み取った内容などを表示する液晶表示画面５が、後方に数字などを入力するメインスイッチ６が配置され、側面には、光学的情報の読み取りをするときに押すトリガースイッチ７が配置され、下面前方には、光学的情報の読み取りと画像情報の取得をするための読み取り窓８が配置されている。
【００５７】
光学系２は、撮像部９として、画像取得対象に照明光を投光する照明ＬＥＤ１０と画像取得対象からの反射光を結像する結像レンズ１１と結像された像を長方形の面上に配列された受光素子で電気信号に変換するエリアセンサ１２と、撮像する位置を示す指標光線を照射する指標光線照射部１３として、指標光の光源となる半導体レーザ１４と半導体レーザ１４からのレーザ光を回折してＨ字型の指標パタン１５に光線を形成する回折素子１６から構成される。
【００５８】
指標パタン１５の光線の射出方向は結像レンズ１１の瞳とエリアセンサ１２の撮像エリアの中心を結ぶ受光軸（イ）に平行で近接し、Ｈ字型の指標パタン１５の幅方向の広がり角は撮像部９の視野（ウ）の横方向の広がり角と略同じであり、画像取得対象に照射されたＨ字型の指標パタン１５は常に中心が撮像部９の視野（ウ）の中心に近接し、Ｈ字型の指標パタン１５の幅は視野（ウ）の横方向長さと略一致して、撮像部９の撮像位置と横方向の撮像範囲を指示する。光学的情報読取装置１内にあるプリント基板上に構成された制御回路１７は、ＣＰＵ、メモリ素子等を備え、書き込まれたプログラムに従い撮像部９や指標光線照射部１３の駆動制御とエリアセンサ１２で変換された電気信号の２値化や２値化された画像情報からバーコード等の光学的情報を抽出して復号化を行ったり、取得した画像を記憶部としてのメモリ素子に記憶を行ったり、液晶表示画面５などの動作制御を行う。
【００５９】
以上のように構成された光学的情報読取装置について、その動作を説明する。記録媒体１８は紙に光学的情報としての最小バー幅が０．１９ｍｍの細かいバーコード１９が印刷され、バーコード１９の右上の所定記入欄に署名２０が記入されている。
【００６０】
光学的情報読取装置１を記録媒体１８に対向させトリガースイッチ７を押すことで読取開始信号が入力されると、制御回路１７は、指標光線照射部１３の、指標光の光源となる半導体レーザ１４点灯させ、回折素子１６によりレーザ光をＨ字型の指標パタン１５に形成させる。
【００６１】
半導体レーザ１４は、撮像部９の照明ＬＥＤ１０を点灯してエリアセンサ１２が露光する間は消灯され、エリアセンサ１２が露光していない間に点灯される。エリアセンサ１２は繰り返し露光して結像レンズ１１によって結像された像を電気信号に変換して画像データを繰り返し取得する。
【００６２】
光学的情報読取装置１を動かして、Ｈ字型の指標パタン１５の中央のラインをバーコード１９の長手方向の中心軸に合わせ、バーコード１９の輪郭がＨ字型の指標パタン１５の両端のラインに合わせられた時、撮像部９の視野（ウ）の中央にバーコード１９が位置し、さらに、結像レンズ１１の合焦点位置近くに記録媒体１８が位置する時、取得した画像を２値化してバーコード１９を抽出して複合化する。復号化が成功すると、指標光線照射部１３と撮像部９の駆動を止めてバーコード１９の読み取りを終え、読み取った情報をメモリ素子に記憶させ、読み取りが成功したことを表示ランプ３を点灯して知らせ、液晶表示画面５に、読み取ったバーコード１９の情報と、取得した画像情報のあらかじめ設定された所定領域の画像情報を表示する。
【００６３】
記録媒体１８の上方向が光学的情報読取装置１の前方向である時、図３に示すように、常にバーコード１９の画像が取得した画像の中央にあり、署名記入欄は、画像を縦横の中心軸で４分割した中の左上の分割領域（図３中の点線内）にある。
【００６４】
液晶表示画面５の表示画素数が、エリアセンサ１２の撮像画素数より少ない時、取得した画像を全部表示することはできない。また、間引いて全部表示すると表示画像は粗くきたないものとなる。取得した全画像の表示は必要なく、確認に必要な署名２０の画像をきれいに大きく表示すればよく、液晶表示画面５に表示する領域を４分割した中の左上の分割領域に設定しておけば、確認したい署名２０の画像は大きくきれいに表示される。
【００６５】
また、バーコードが読み取れる範囲では、結像レンズ１１の合焦点位置近くに記録媒体１８が位置しており、撮像部９はピントのあった画像を記憶することがきる。光学的情報読取装置１は、液晶表示画面５に署名２０の画像を表示して、取得した画像を記憶するかどうかの入力待ちの状態となる。表示された署名２０の画像がきれいであるときメインスイッチ６の所定のスイッチを押して、取得した画像をメモリ素子への記憶を指示する。
【００６６】
取得した画像の記憶は、取得した画像の中の設定された所定の領域だけを記憶する。画像を縦横の中心軸で４分割した中の左上の分割領域だけを記憶すれば、記憶したい署名２０の画像を記憶することができ、画像データ量は４分の１で済む。取得した画像の中の記憶する所定の領域については、例えば別のフォーマットの記録媒体を使うシステムに適用させる時などは、メインスイッチ６で記憶する領域の座標を入力することで変更、修正できる。
【００６７】
このように、光学的情報の読み取り完了と同時にエリア画像の取得と記憶を行うことで、例えば、記録媒体１８が荷物の送り状である時、取得した受け取りの署名２０の画像情報に読み取ったバーコード１９の送り状管理番号情報を略一括で取得、読み取りができるので、一対一対に関連づけて管理させ易い。
【００６８】
次に、表示された署名２０の画像がきたないとき、または、署名２０が記入欄でない場所に書かれて取得できなかった時には、メインスイッチ６の別の所定のスイッチを押して画像の再取得を指示する。画像の再取得では、制御回路１７はプログラムに従い、再び指標光線照射部１３と撮像部９を駆動させ、表示ランプ４は点灯されて画像の取得だけを行うモードであることを知らせる。
【００６９】
光学的情報読取装置１を動かして、Ｈ字型の指標パタン１５の両端のラインを記録媒体１８の書名欄を挟むように設けられた２つの２重線２１に合わせてトリガースイッチ７を押し、撮像部９により画像を再取得する。２つの２重線２１は、Ｈ字型の指標パタン１５の両端のラインが合わされた時に、結像レンズ１１の略合焦位置に記録媒体１８が位置するように印刷されてあり、きれいな画像を取得することができる。
【００７０】
制御回路１７は、取得した画像を液晶表示画面５に表示して、記憶された画像を記憶するかどうかの入力待ちの状態となる。画像がきれいであるときは記憶を確定して光学的情報の読み取りと署名の画像の取得の一連の処理を終了して、画像がきたないなときは画像の再取得を行うことをメインスイッチ６の所定のスイッチを押すことで指示する。
【００７１】
以上のように本実施の形態によれば、指標光照射部１３からの指標光の指標パタン１５をバーコード１９の長手方向の中心軸と輪郭に合わせて狙いをつけ、撮像部９によりエリア画像を取得し、取得したエリア画像から復号部により光学的情報を抽出して復号し、復号に成功した時、そのエリア画像のうち所定の領域を記憶部に記憶されることとなる。
【００７２】
バーコードが読み取れる範囲では、結像レンズ１１の合焦点位置近くに記録媒体１８が位置しており、撮像部９はピントのあった画像を記憶することがき、また、読み取った画像情報と記憶する画像情報を一対一で対応させて記憶できることから記憶した画像情報を管理し易くでき、また、取得した画像情報のうち必要とする画像情報だけを記憶することで記憶する画像データ量を少なくすることができる。
【００７３】
さらに、記憶部に記憶させる所定の領域を設定および／または変更する設定部としてメインスイッチ６を備えることで、記憶部に記憶させる所定の領域を任意に設定および／または変更できる。さらに、記憶部に記憶させるエリア画像を液晶表示画面５に表示して表示内容をみてからエリア画像を記憶するか記憶しないでエリア画像の再取得するかをメインスイッチ６で指示することで、記憶される画像情報の品質が良いかどうかを確認できる。また、表示内容が取得した画像情報そのものではなく必要な所定領域の画像情報であり情報量が少ないため画像情報の間引き圧縮を行わない、または、間引き量を少なくして液晶表示画面５に表示するため、表示内容はきれいでわかりやすくすることができる。さらに、記録媒体１８には光学的情報と画像情報があらかじめ決められた位置に設けられて、光学的情報読取装置１により記録媒体に設けられた光学的情報１９と画像情報２０とを取得する時に、指標光線１５が光学的情報１９を照射する位置に光学的情報読取装置１を位置させると、画像情報２０が記憶部に記憶する所定の領域にあり、確実に画像情報２０を記憶することができる。さらに、光学的情報１９はバーコードであり画像情報２０は印章および／または署名であり、記憶した印章および／または署名は記録媒体１８に設けられたバーコードの情報で管理することができる。さらに、記録媒体１８には２重線２１が設けられており、Ｈ字型の指標パタン１５の両端のラインが合わされた時に、結像レンズ１１の略合焦位置に記録媒体１８が位置するように印刷されてあり、きれいな画像を取得することができる。
【００７４】
（実施の形態２）
図４ａ、図４ｂは、光学的情報読取装置２２の斜視図である。光学的情報読取装置２２は、エリア画像を取得するためのエリアセンサと結像部からなる撮像部２３と取得したエリア画像にバーコード等の光学的情報が含まれる時に光学的情報を抽出して複合化する復号部と画像情報を記録する記憶部をＣＰＵとメモリ素子等からなる制御基板内に有する携帯電話機である。
【００７５】
光学的情報読取装置２２下面前方に撮像部２３を配置し、上面に液晶表示画面２４とキースイッチ２５が配置されている。撮像部２３はエリア画像を取得して、液晶表示画面２４はそれを動画として表示する。液晶表示画面２４はキースイッチ２５からの入力設定で撮像部２３が取得した画像情報に枠図形２６を重ねて表示することができる。枠図形２６は常に液晶表示画面２４の中央部の決まった位置に表示される。撮像部２３の結像部は倍率を切り替える可能であり、キースイッチ２５の所定のキーを押すと、通常の倍率から高い倍率に切り替わる。
【００７６】
以上のように構成された光学的情報読取装置２２について、その動作を説明する。カタログ雑誌２７には物品の写真２８と、その右横に物品についての情報を説明する文と光学的情報としての２次元コード２９が印刷されている。２次元コード２９は物品の名称と管理番号と注文先のＵＲＬ等の情報が記されている。
【００７７】
操作者は光学的情報読取装置２２のキースイッチ２５で、２次元コード通常読み取りモードに設定して、液晶表示画面２４は撮像部２３が取得したエリア画像に枠図形２６を重ねて動画表示した読み取り待機状態で、カタログ雑誌２７に撮像部２３を対向させる。
【００７８】
図５に示す液晶表示画面２４の表示状態のように、同じページにいくつか記載された物品のうち、注文したい物品の２次元コード２９の輪郭と液晶表示画面２４に表示された枠図形２６が一致するように光学的情報読取装置２２を位置させて、キースイッチ２５の中の所定のスイッチを押して読取開始信号が入力されると、復号部として、制御基板内のＣＰＵはプログラムに従い、撮像部２３によって取得されて電気信号に変換された画像データのうち、液晶表示画面２４でエリア画像に重ねて表示される枠図形２６に囲まれた領域のアドレスの画像データだけについて、２値化処理と２次元コードの抽出と復号化を行う。
【００７９】
カタログ雑誌２７に印刷される２次元コードの輪郭の大きさは所定の大きさに決められて、液晶表示画面２４に固定して表示される枠図形２６が２次元コードの輪郭と一致するように光学的情報読取装置２２が位置した時に、撮像部２３の結像部の合焦点位置に光学的情報が位置して、ピントのあったエリア画像を取得できるようになっている。
【００８０】
また、液晶表示画面２４を見ながら取得しているエリア画像の中にあるいくつかの２次元コードの中から一つの２次元コードを選択できる。複合化に成功すると複合化した２次元コード２９の情報をメモリ素子に記憶して読み取り処理を終了する。引き続き、記憶部として制御基板内のＣＰＵはプログラムに従い、画像データの複合化に使用した領域の左横の、図５の点線で示すあらかじめ設定された所定の領域を記憶する。
【００８１】
２次元コード２９に対応する物品の写真２８は、この記憶される画像データの領域にはいっている。取得したエリア画像の中から読み取った２次元コード２９に対応する物品の写真２８だけを記憶することができ、また全画像を記憶するのに比べ、記憶する画像データの量を少なくすることが出来る。取得した画像の中の記憶する所定の領域については、例えば別のフォーマットのカタログ雑誌を使うシステムに適用させる時などは、キースイッチ２５で記憶する領域の座標を入力することで変更、修正できる。
【００８２】
記憶した写真２８と読み取った２次元コード２９の情報の中の物品の名称と管理番号が表示され、表示内容を確認後に注文数量をキースイッチ２５から入力して、キースイッチ２５から注文発信処理の開始が入力されると２次元コード２９の情報の中の注文先のＵＬＲに発信される。記憶した写真２８と読み取った２次元コード２９の情報は注文履歴として記憶され、注文履歴を用いて再注文等に使われる。２次元コードの読み取りを行わずに写真画像の記憶だけを行いたい時には、キースイッチ２５を画像記録モードにする。
【００８３】
液晶表示画面２４には撮像部２３の取得するエリア画像の中央部に重ねて枠図形３０が表示される。図６に示すように記憶したい写真３１を枠図形３０の中に収め、写真３１の上下にある罫線３２に枠図形の上辺と下辺をあわせてキースイッチ２５の中の所定のスイッチを押して画像取得開始信号が入力されると、記憶部として、制御基板内のＣＰＵはプログラムに従い、撮像部２３によって取得されて電気信号に変換された画像データのうち、液晶表示画面２４でエリア画像に重ねて表示される枠図形３０に囲まれた領域のアドレスの画像データだけについてメモリ素子に記憶する。
【００８４】
カタログ雑誌２７に印刷される罫線３２の間隔は所定の長さに決められて、液晶表示画面２４に固定して表示される枠図形３０の上辺と下辺が写真を挟む罫線３２と一致するように光学的情報読取装置２２が位置した時に、撮像部２３の結像部の合焦点位置に光学的情報が位置して、ピントのあったエリア画像を取得できるようになっている。記憶した写真の画像を液晶表示画面２４に表示して画像記録モードを終了する。
【００８５】
次に別のカタログ雑誌で注文する。物品の写真３３と、その右横に物品についての情報を説明する文と光学的情報としての２次元コード３４が印刷されているが、２次元コード３４は物品の名称と管理番号と注文先のＵＲＬ等の他に、物品についての説明情報が記されていて、情報量が多いことから２次元コード３４の最小要素であるセルの数は多く、また、セルサイズは小さくなり密度が上がる。
【００８６】
読み取りに必要な１セルあたり撮像部２３のエリアセンサ受光画素数が不足しないように２次元コード３４に光学的情報読取装置２２を近づけて２次元コード３４を大きく写せば１セルあたり撮像部２３のエリアセンサ受光画素数を増やせるが、液晶表示画面２４に一つの２次元コードしか表示できないと、複数の２次元コードが近接して印刷されている場合には、どの２次元コードか判別しにくい。
【００８７】
また合焦点位置からずれてしまい、ぼけた画像となる。そこで、キースイッチ２５を操作してズーム読み取りモードにする。液晶表示画面２４には撮像部２３の取得するエリア画像の中央部に重ねて枠図形３５が表示される。枠図形３５の内側が撮像部２３の結像部の変倍レンズを移動して高倍率に切替えた後の取得画像の範囲を表す。
【００８８】
取得しているエリア画像にあるいくつかの２次元コードの中から注文したい物品についての２次元コード３４の輪郭に枠図形３５を位置合わせしてキースイッチ２５の中の所定のスイッチを押して読取開始信号が入力されると、制御基板内のＣＰＵは撮像部２３の結像部のアクチュエータを駆動して変倍レンズを移動して高倍率に切替え、エリアセンサ上にズームアップされて結像された像が電気信号に変換された画像データを、復号部としてプログラムに従い２値化処理と２次元コードの抽出と復号化を行う。
【００８９】
複合化に成功すると複合化した２次元コード３４の情報をメモリ素子に記憶し、また、結像部のアクチュエータを駆動して変倍レンズを移動して通常倍率に戻し、読み取り処理を終了する。引き続き、２次元コード３４に対応した写真３５の記録を行う、写真３３は細密であり、２次元コード３４の読み取りと同様に画像の取得時に撮像部２３の結像部の変倍レンズを移動して高倍率に切替えて画像の取得を行う。
【００９０】
写真３３を枠図形３５の中に収め、写真３３を囲む対角に印刷された記号（星印）３６に枠図形３５の四隅をあわせてキースイッチ２５の中の所定のスイッチを押して画像取得開始信号が入力されると、制御基板内のＣＰＵは撮像部２３の結像部のアクチュエータを駆動して変倍レンズを移動して高倍率に切替え、エリアセンサ上にズームアップされて結像された像が電気信号に変換された画像データを、記憶部として、制御基板内のＣＰＵはプログラムに従い、メモリ素子に記憶する。２次元コード３４の輪郭の大きさと写真を囲む四隅に印刷された記号３６の間隔は、所定の長さに決められて、液晶表示画面２４に固定して表示される枠図形３５と位置合わせするように光学的情報読取装置２２が位置した時に、撮像部２３の結像部の変倍レンズを移動して高倍率に切替えた後の合焦点位置に光学的情報が位置して、ピントのあったエリア画像を取得できるようになっている。
【００９１】
結像部のアクチュエータを駆動して変倍レンズを移動して通常倍率に戻し、画像記憶処理を終了し、記憶した写真３３と読み取った２次元コード３４の情報の中の物品の名称と管理番号が表示され、表示内容を確認後に注文数量をキースイッチ２５から入力して、キースイッチ２５から注文発信処理の開始が入力されると２次元コード３４の情報の中の注文先のＵＬＲに発信される。
【００９２】
以上のように本実施の形態によれば、液晶表示画面２４は撮像部２３が取得したエリア画像に枠図形２６を重ねて表示し、２次元コード２９の輪郭と枠図形２６が一致するように光学的情報読取装置２２を位置させて、キースイッチ２５の中の所定のスイッチを押して読取開始し、制御基板内のＣＰＵはプログラムに従い、復号部として、撮像部２３によって取得されて電気信号に変換された画像データのうち枠図形２６に囲まれた領域の画像データだけについて復号化し、画像データのうち、あらかじめ設定された所定の領域を記憶する。
【００９３】
２次元コード２９に対応する物品の写真２８は、この記憶される画像データの領域にはいっている。２次元コード２９の読み取りと同時に、取得したエリア画像の中から読み取った２次元コード２９に対応する物品の写真２８だけを記憶することができ、また全画像を記憶するのに比べ、記憶する画像データの量を少なくすることが出来る。取得した画像の中の記憶する所定の領域については、キースイッチ２５で記憶する領域の座標を入力することで変更、修正して、別のフォーマットにも適用することができる。
【００９４】
また、液晶表示画面２４に固定して表示される枠図形２６が２次元コードの輪郭と一致するように光学的情報読取装置２２が位置した時に、撮像部２３の結像部の合焦点位置に光学的情報が位置して、ピントのあったエリア画像を取得できる。また、液晶表示画面２４に固定して表示される枠図形３０の上辺と下辺が写真を挟む罫線３２と一致するように光学的情報読取装置２２が位置した時に、撮像部２３の結像部の合焦点位置に光学的情報が位置して、必要な写真だけをピントのあった画像で取得できる。
【００９５】
さらに、高密度の２次元コード３４と写真３３については、液晶表示画面２４は撮像部２３が取得したエリア画像に枠図形３５を重ねて表示し、枠図形３５の内側が撮像部２３の結像部の変倍レンズを移動して高倍率に切替えた後の取得画像の範囲を表し、２次元コード３４の輪郭または、写真３３を囲む対角に印刷された記号３６に枠図形３５を位置合わせしてキースイッチ２５の中の所定のスイッチを押して読取開始すると、制御基板内のＣＰＵは、撮像部２３の結像部のアクチュエータを駆動して変倍レンズを移動して高倍率に切替え、エリアセンサ上にズームアップされて結像された像が電気信号に変換された画像データを、復号部としてプログラムに従い復号部として復号化を、また、記憶部として画像の記憶を行う。
【００９６】
２次元コード３４の輪郭の大きさと写真を囲む対角に印刷された記号３６の間隔は、所定の長さに決められて、液晶表示画面２４に固定して表示される枠図形３５と位置合わせするように光学的情報読取装置２２が位置した時に、撮像部２３の結像部の変倍レンズを移動して高倍率に切替えた後の合焦点位置に光学的情報が位置して、ピントのあったエリア画像を取得できる。
【００９７】
（実施の形態３）
図８ａ、図８ｂは、光学的情報読取装置３７の斜視図である。図９は、光学的情報読取装置３７の内部の光学系３８を説明するために図８ａの破断位置（エ）−（エ）で部分的に断面を表した断側面図である。図１０は、図９の矢印（オ）方向をみて光学系３８の一部を表した矢視図である。図１１は、図９の矢印（カ）方向をみて光学系３８の一部を表した矢視図である。
【００９８】
光学的情報読取装置３７は、前方部にバーコード等の光学的情報の読み取りと画像情報の取得をする光学系３８を配置し、後方部を操作者が把持して操作する。上面には、前方に、光学的情報の読み取りの正否を表示する表示ランプ３９と光学系３８の状態を表示する表示ランプ４０と読み取った内容などを表示する液晶表示画面４１が、後方に数字などを入力するメインスイッチ４２が配置され、側面には、光学的情報の読み取りをするときに押すトリガースイッチ４３が配置され、下面前方には、光学的情報の読み取りと画像情報の取得をするための読み取り窓４４が配置されている。
【００９９】
光学系はレーザ光を走査させてバーコード等の光学的情報の読み取りを行うためのバーコード読取部４５と画像情報の取得をするための撮像部４６から構成される。バーコード読取部４５は、レーザ光を照射する半導体レーザ４７と半導体レーザ４７からのレーザ光を集光してビームに形成するビーム形成レンズ４８と、ビームに形成されたレーザ光を反射させ、軸４９の回りに揺動してレーザ光の走査を行う走査ミラー５０と、走査ミラー５０で走査されたレーザ光を反射させて進行方向を変える固定ミラー５１と、レーザ光をあてたバーコード等の光学的情報からの反射光を集光する受光レンズ５２と集光された反射光を受光して電気信号に変換するフォトトランジスタ５３から構成される。
【０１００】
走査ミラー５０の揺動は、軸４９に回動可能に取り付けられたミラー固定具５４の走査ミラー５０の固定側と軸４９をはさんで反対側に永久磁石５５が固定され、軸４９が固定されたベースに鉄心にコイルを巻いた電磁石５６ａ、５６ｂが永久磁石５５を挟んで配置され、励磁していない状態では電磁石５６ａと５６ｂの中間位置で磁力のつり合いで保持されている永久磁石５５を電気磁石５６ａ、５６ｂに交互に電流を流して励磁して励磁されたほうに近づけることで行う。
【０１０１】
電磁石５６ａ、５６ｂに流す電流量を変えて磁力を調整することにより走査ミラー５０の揺動の振幅を変える、すなわち、走査ミラー５０で反射して走査ミラー５０を略中心に扇状にレーザ光を振らして走査されるレーザ光の走査角度（キ）を変えることができる。撮像部４６は、紙に押された印鑑や紙に記された署名等の画像取得対象に照明光を投光する照明ＬＥＤ５７と画像取得対象からの反射光を結像する結像レンズ５８と結像された像を長方形の面上に配列された受光素子で電気信号に変換するエリアセンサ５９から構成される。
【０１０２】
固定ミラー５１で反射された後のレーザビームの走査方向（図１１の（ク）方向）とエリアセンサ５９の受光素子の横並び方向（図１１の（ケ）方向）は略平行で、結像レンズ５８の瞳とエリアセンサ５９の撮像エリアの中心を結ぶ受光軸（コ）は扇状のレーザ光の走査の中心軸（サ）を含む走査平面と鉛直な面上で、受光軸（コ）とレーザ光の走査の中心軸（サ）は略平行で近接するように、撮像部４６は固定ミラー５１の反射面の裏側に配置される。また、レーザ光の走査角（キ）は、通常、撮像部４６の横方向の視野角（シ）と略同じにしてある。また、ビーム形成レンズ４８により形成されたレーザ光のビームの一番絞られた位置すなわちビームウエストと結像レンズ５８のエリアセンサ５９に対してピントが一番合っている位置すなわち合焦位置が略同じ位置にある。
【０１０３】
また、光学的情報読取装置３７内にあるプリント基板上に構成された制御回路６０は、ＣＰＵ、メモリ素子等を備え、書き込まれたプログラムに従いバーコード読取部４５の駆動制御とフォトトランジスタ５３で変換された電気信号の２値化や復号化を行ったり、撮像部４６の駆動制御と取得した画像の記憶を行ったり、液晶表示画面４１などの動作制御を行う。
【０１０４】
以上のように構成された光学的情報読取装置について、その動作を説明する。記録媒体６１は紙に光学的情報としての最小バー幅が０．１９ｍｍの細かいバーコード６２が印刷され、バーコード６２の右上の所定記入欄に署名６３が記入されている。光学的情報読取装置３７を記録媒体６１に対向させトリガースイッチ４３を押すことで読取開始信号が入力されると、制御回路６０はバーコード読取部４５の半導体レーザ４７を駆動してレーザ光を照射して走査ミラー５０によりレーザ光の走査を行う。
【０１０５】
レーザ光の走査線６４がバーコード６２を全部走査されるようにあてられ、またレーザ光のビームウエストの近くでバーコード６２にあてられ、ビーム径がバーコード６２の最小バー幅に対して同等以下でバーコード６２の黒バーと白バーでの走査されたレーザ光の反射強度の差が十分であるとき、フォトトランジスタ５３により変換された電気信号は、レーザ光の反射強度の時間変化を示し、制御回路６０により、２値化と復号化され、バーコード６２の情報として読み取られる。バーコード６２の読み取りが終わると、読み取った情報をメモリ素子に記憶させ、読み取りが成功したことを表示ランプ３９を点灯して知らせ、撮像部４６の照明ＬＥＤ５７を点灯して記録媒体６１を照明し、結像レンズ５８によって結像された像をエリアセンサ５９は電気信号に変換して、画像データを取得する。
【０１０６】
液晶表示画面４１は、読み取ったバーコード６２の情報と、取得した画像情報のあらかじめ設定された所定領域の画像情報を表示する。記録媒体６１の上方向が光学的情報読取装置３７の前方向であり、エリアセンサ５９による画像の取得時にレーザ光の走査線６４の中心とバーコード６２中心が略一致しているとすると、レーザ光の走査方向は撮像部の視野（ス）（図８の点線内）の横方向と一致しレーザ光の走査線の中心は撮像部の視野の中心の近傍にあることから、図１２に示すように、常にバーコード６２の画像が取得した画像の中央にあり、署名記入欄は、画像を縦横の中心軸で４分割した中の左上の分割領域（セ）（図１２の点線内）にある。
【０１０７】
液晶表示画面４１の表示画素数が、エリアセンサ５９の撮像画素数より少ない時、取得した画像を全部表示することはできない。また、間引いて全部表示すると表示画像は粗くきたないものとなる。取得した全画像の表示は必要なく、確認に必要な署名６３の画像をきれいに大きく表示すればよく、液晶表示画面４１に表示する領域を４分割した中の左上の分割領域に設定しておけば、確認したい署名６３の画像は大きくきれいに表示される。
【０１０８】
また、レーザ光のビームウエストと結像レンズ５８の合焦位置が略同じ位置にあることから、バーコード読取部４５のレーザ光によりバーコードが読み取れる範囲で、撮像部４６はピントのあった画像を取得できる。光学的情報読取装置３７は、液晶表示画面４１に署名６３の画像を表示して、取得した画像を記憶するかどうかの入力待ちの状態となる。
【０１０９】
表示された署名６３の画像がきれいであるときメインスイッチ４２の所定のスイッチを押して、取得した画像をメモリ素子への記憶を指示する。取得した画像の記憶は、取得した画像の中の設定された所定の領域だけを記憶する。画像を縦横の中心軸で４分割した中の左上の分割領域（セ）だけを記憶すれば、記憶したい署名６３の画像を記憶することができ、画像データ量は４分の１で済む。
【０１１０】
取得した画像の中の記憶する所定の領域については、例えば別のフォーマットの記録媒体を使うシステムに適用させる時などは、メインスイッチ４２で記憶する領域の座標を入力することで変更、修正できる。このように、光学的情報の読み取り完了と略同時にエリア画像の取得と記憶を行うことで、例えば、記録媒体６１が荷物の送り状である時、取得した受け取りの署名６３の画像情報に読み取ったバーコード６２の送り状管理番号情報を略一括で取得、読み取りができるので、一対一対に関連づけて管理させ易い。
【０１１１】
次に、表示された署名６３の画像が取得時の手ぶれ等の影響できたないとき、または、署名６３が記入欄でない場所に書かれて取得できなかったときには、メインスイッチ４２の別の所定のスイッチを押して画像の再取得を指示する。画像の再取得では、制御回路６０はバーコードの読み取りはせずに、画像の取得だけを行うようにプログラムに従い各部品を駆動制御する。表示ランプ４０は点灯されて画像の取得だけを行うモードであることを知らせる。
【０１１２】
また、バーコード読取部４５の半導体レーザ４７によるレーザ光の照射を間欠して行うことでも、画像の取得だけを行うモードであることを知らせる。電磁石５６ａ、５６ｂに流す電流量を変えて磁力を調整することにより走査ミラー５０の揺動の振幅を小さく変え、すなわち、扇状に走査されるレーザ光の走査角度を小さくする。
【０１１３】
レーザ光は、画像を取得するときの位置を指示するターゲット光として使われ、図１３に示すように、レーザ光の走査線６４の長さが記録媒体６１の署名記入欄の枠６５の横方向の幅と同じになる位置で、結像レンズ５８の合焦位置になるように走査角度は設定されている。撮像部４６の照明ＬＥＤ５７を点灯して記録媒体６１を照明し、結像レンズ５８によって結像された像をエリアセンサ５９は電気信号に変換して、繰り返し画像データを取得する。
【０１１４】
撮像部４６のエリアセンサ５９が画像を取得する露光時間に、間欠して照射されるレーザ光は、消灯しているようにタイミングがあわせられ、取得する画像にレーザ光の反射光が映らないようにしている。メモリ素子に記憶する領域は撮像部４６の視野（ス）の中央部で全体の４分の１の広さである。図１４に示すように液晶表示画面４１には取得している画像に重ねて枠図形６６が表示され、枠図形６６の内側がメモリ素子に記憶される領域であることを示し、必要とする画像情報が記憶できるかの確認ができる。
【０１１５】
撮像する位置が決められたら、トリガースイッチ４３を押して画像記憶開始信号が入力され、制御回路６０は、この時にエリアセンサ５９に取得された画像を記憶する。光学的情報読取装置３７は、記憶した画像を液晶表示画面４１に表示して、記憶された画像をこのまま記憶するかどうかの入力待ちの状態となる。画像がきれいであるときは記憶を確定して光学的情報の読み取りと署名の画像の取得の一連の処理を終了して、画像がきたないなときは画像の再取得を行うことをメインスイッチ４２の所定のスイッチを押すことで指示する。
【０１１６】
以上のように本実施の形態によれば、光学的情報読取装置３７はレーザ光を走査させてバーコード等の光学的情報の読み取りを行うためのバーコード読取部４５と画像情報の取得をするための撮像部４６を有し、バーコード読取部４５の走査されるレーザ光が撮像部４６の撮像位置を指示する位置に照射される。レーザ光は指向性が強く光量が減衰しにくいため、近距離から比較的に遠距離にあるバーコードのように一直線上（１次元）に並んだ光学的情報を読み取ることができ、また、エリア画像も撮像部４６で取得でき、しかも、撮像部が撮像する位置を指示するターゲット光を生成する装置を専用に備えることなく、バーコード読取部４５の走査されるレーザ光が撮像部４６の撮像位置を指示することで、コンパクトな光学系とすることができる。
【０１１７】
具体的には、レーザビームの走査方向とエリアセンサ５９の受光素子の横並び方向は略平行で、撮像部の受光軸（コ）は扇状のレーザ光の走査の中心軸（サ）を含む走査平面と鉛直な面上で、受光軸（コ）はレーザ光の走査の中心軸（サ）と略平行で近接するような配置であることから、操作者は、常にバーコード読取部４５のレーザ光の走査線の中心が撮像部４６の視野（ス）の中心の近傍にあることで撮像部４６の撮像位置をわかりやすく知ることができる。
【０１１８】
さらに、レーザ光の走査角が、通常、撮像部４６の横方向の視野角と略同じにしてあることから、撮像対象上に照射されたレーザ光の走査線の長さが撮像部４６の撮像の視野（ス）の横方向の長さと略同じとなり、操作者は、バーコード読取部４５のレーザ光で撮像部４６の撮像の範囲をわかりやすく知ることができる。
【０１１９】
さらに、光学的情報の読み取り完了と略同時にエリア画像の取得と記憶を行うことで、取得した画像情報に読み取った光学的情報の情報を関連づけて管理する時などに画像情報と光学的情報を一対一対応させ易い。
【０１２０】
さらに、レーザ光のビームの一番絞られた位置すなわちビームウエストと撮像部４６の合焦位置が略同じ位置にあることで、バーコード読取部４５のレーザ光によりバーコードが読み取れる範囲で、撮像部４６はピントのあった画像を取得できる。
【０１２１】
さらに、メインスイッチ４２の操作により、光学的情報の読み取りの開始とエリア画像の取得と記憶の開始を個別に指示することができる。この構成によりエリア画像の取得を行わずに光学的情報の読み取りだけを行うことや、光学的情報の読み取りを行わずにエリア画像の取得と記憶だけを行うことができる。
【０１２２】
さらに、撮像部４６で取得した画像の中の設定された所定の分割領域だけを記憶する。取得した画像を全部記憶することに比べ、記憶するデータ量を少なくすることが出来る。
【０１２３】
さらに、取得した画像の中の記憶する所定の領域については、メインスイッチ４２で記憶する領域の座標を入力することで変更、修正でき、記録媒体の切替えで光学的情報と画像取得対象の位置関係が変わった時にも対応し易くなる。
【０１２４】
さらに、液晶表示画面４１には、撮像部４６で取得している画像に重ねて、記憶される領域を示す枠６６が表示され、必要とする画像情報が記憶する領域にあるかの確認ができる。
【０１２５】
さらに、撮像部４６で取得した全画像ではなく確認に必要な所定領域の画像だけを表示して、確認後にメインスイッチ４２で記憶するか記憶しないで画像の再取得をするかを指示することで、液晶表示画面４１の表示画素数が、エリアセンサ５９の撮像画素数より少ない時でも、液晶表示画面４１で記憶する画像データの状態を取得画像のまま確認することができ、記憶するかどうかを指示することができる。
【０１２６】
尚、本実施の形態では、撮像部４６の受光軸（コ）はバーコード読取部４５の扇状のレーザ光の走査の中心軸（サ）を含む走査平面と鉛直な面上で、受光軸（コ）とレーザ光の走査の中心線（サ）とは略平行で近傍にしているが、レーザ光の走査平面を撮像部の視野の境界面の一つ（ソ）と略平行で近傍になるようにして、レーザ光の走査線６４が視野（ス）の下辺を示すことでも、操作者は、撮像部４６の撮像位置をわかりやすく知ることができる。
【０１２７】
また、制御回路６０が、取得した画像データに２次元コードの画像が含まれる時に画像の２値化と２次元コードの抽出と復号化の処理をするプログラムが書き込まれていてもよい。撮像部４６により取得された２次元コードを読み取ることができる。図１５に示す合焦位置付近で取得した画像で、２次元コード６７は、取得する画像領域に対して小さく、２次元コード６７の単位要素（１セル）に対応するエリアセンサ５９の画素数が少ないと読み取りができないことがある。
【０１２８】
結像レンズ５８がピント位置を変えないで倍率を変えることができると、メインスイッチ４２のスイッチを押して結像レンズ５８の倍率を変えることを指示し、倍率を上げると２次元コード６７の単位要素（１セル）に対応するエリアセンサ５９の画素数を増やすことができ、読み取りが可能となる。また、バーコード読取部４５の電磁石５６ａ、５６ｂに流す電流量を変えて磁力を調整することにより走査ミラー５０の揺動の振幅を小さく変え、扇状のレーザ光の走査の走査角度（キ）を、倍率を上げることで変わる結像レンズ５８の視野角（シ）に合わせるようにする。操作者は、変更された撮像部４６による撮像の範囲がわかりやすくなり、２次元コードを狙いやすくなる。
【０１２９】
また、図１６に示すように、レーザ光を回折して図形を形成するように照射する回折格子６８を備え、半導体レーザ４７からのレーザ光を使い撮像部４６の視野（ス）の範囲を指示する指標光としてもよい。撮像部４６による画像の取得を行う時に、読取部４５の片方の電磁石５６ａを励磁して永久磁石５５を引き付けて走査ミラー５０を固定して、半導体レーザ４７からビーム形成レンズ４８を介してビームに形成されたレーザ光を固定された走査ミラー５０で反射させ、通常のバーコード６２の読取時に走査されるレーザ光の走査範囲からはずれた位置にあるミラー６９で方向を変えて回折格子６８に導き、回折格子６８により回折されたレーザ光は記録媒体６１上に照射され、撮像部４６の視野（ス）の境界と略一致する枠図形を形成し、撮像領域をより明確に指示することができる。
【産業上の利用可能性】
【０１３０】
本発明の光学的情報読取装置および情報読取システムおよび記録媒体の読取方法は、バーコード等の光学的情報を読み取ることと併せて画像情報を撮像して取得するとき、取得したい画像情報が撮像位置にあり、ピントのあった状態で撮像され、必要とする画像情報を効率よく保存することができ、物流、運送分野における集配情報管理における情報入力装置、情報入力方法として、または、カタログ販売における情報入力装置、情報入力方法等として産業上有用である。
【図面の簡単な説明】
【０１３１】
【図１】本発明の一実施の形態に係る光学的情報読取装置の斜視図
【図２】本発明の一実施の形態に係る光学的情報読取装置における図１に示すア−ア断面図
【図３】本発明の一実施の形態に係る光学的情報読取装置が読取るバーコードを示す正面図
【図４】本発明の一実施の形態に係る光学的情報読取装置の外観図
【図５】本発明の一実施の形態に係る光学的情報読取装置が読取る２次元コードの正面図
【図６】本発明の一実施の形態に係る光学的情報読取装置が記憶したい写真と読取る２次元コードとを示す正面図
【図７】本発明の一実施の形態に係る光学的情報読取装置が記憶したい写真と読取る２次元コードとを示す正面図
【図８】本発明の一実施の形態に係る光学的情報読取装置の外観図
【図９】本発明の一実施の形態に係る光学的情報読取装置における図８に示すエ−エ断面図
【図１０】本発明の一実施の形態に係る光学的情報読取装置の光学系を示す図
【図１１】本発明の一実施の形態に係る光学的情報読取装置の光学系を示す図
【図１２】本発明の一実施の形態に係る光学的情報読取装置の読取り対象のバーコードを示す正面図
【図１３】本発明の一実施の形態に係る光学的情報読取装置と読取り対象のバーコードを示す外観斜視図
【図１４】本発明の一実施の形態に係る光学的情報読取装置の読取り対象のサインを示す正面図
【図１５】本発明の一実施の形態に係る光学的情報読取装置の読取り対象を示す正面図
【図１６】本発明の一実施の形態に係る光学的情報読取装置の回折格子を含む光学系を示す図
【符号の説明】
【０１３２】
１、２２、３７  光学的情報読取装置
２、３８  光学系
３、３９  表示ランプ（読取正否表示）
４、４０  表示ランプ（モード表示）
５、２４、４１  液晶表示画面
６、４２  メインスイッチ
７、４３  トリガースイッチ
８、４４  読み取り窓
９、２３、４６  撮像部
１０、５７  照明ＬＥＤ
１１、５８  結像レンズ
１２、５９  エリアセンサ
１３  指標光線照射部
１４  半導体レーザ
１５  指標パタン
１６  回折素子
１７、６０  制御回路
１８、６１  記録媒体
１９、６２  光学的情報（バーコード）
２０、６３  画像情報（署名）
２１  ２重線
２５  キースイッチ
２６、３０、３５、６６  枠図形
２７  カタログ雑誌
２８、３１、３３  写真
２９、３４、６７  ２次元コード
３２  罫線
３６  記号
４５  バーコード読取部
４７  半導体レーザ
４８  ビーム形成レンズ
４９  軸
５０  走査ミラー
５１  固定ミラー
５２  受光レンズ
５３  フォトトランジスタ
５４  ミラー固定具
５５  永久磁石
５６ａ、５６ｂ  電磁石
６４  走査線
６５  記入欄枠
６８  回折格子
６９  ミラー
【図１】
2005275530.tif 000003
【図２】
2005275530.tif 000004
【図３】
2005275530.tif 000005
【図４】
2005275530.tif 000006
【図５】
2005275530.tif 000007
【図６】
2005275530.tif 000008
【図７】
2005275530.tif 000009
【図８】
2005275530.tif 000010
【図９】
2005275530.tif 000011
【図１０】
2005275530.tif 000012
【図１１】
2005275530.tif 000013
【図１２】
2005275530.tif 000014
【図１３】
2005275530.tif 000015
【図１４】
2005275530.tif 000016
【図１５】
2005275530.tif 000017
【図１６】
2005275530.tif 000018